(57)【要約】【課題】高い伸縮特性と高品質の接触特性とを兼ね備えた女性用ガードルを提供する。【解決手段】このガードルは、ポリウレタン糸Ｐｕ、ナイロン糸Ｎおよび綿糸Ｃを含む経編地で編成されたパワーネット生地を少なくとも一部に用いて、このパワーネット生地は、綿糸Ｃが経編みにおいて挿入組織で編成されておらず、綿糸Ｃがパワーネット生地の片面において実質的に全面に露出しており、この綿糸Ｃが露出した面側をガードルの肌側に配置したことを特徴とする。このガードルの着用時に着用者の肌側においては、パワーネット生地において綿糸が実質的に全面に露出しており、綿糸以外の繊維が着用者の肌に触れることがない。【選択図】図４
2015166506.tif 000002
【特許請求の範囲】
【請求項１】
弾性糸、非伸縮性合成繊維および吸湿性繊維を含む経編地で編成されたパワーネット生地を少なくとも一部に用いた下半身用衣類であって、
前記吸湿性繊維が経編みにおいて挿入組織で編成されておらず、
前記吸湿性繊維が、前記パワーネット生地の片面側において実質的に全面に露出し、
前記片面側を肌側に配置したことを特徴とする下半身用衣類。
【請求項２】
前記衣類は、女性用のガードルであることを特徴とする、請求項１に記載の下半身用衣類。
【請求項３】
前記吸湿性繊維である綿糸以外の素材が前記ガードルの着用者の肌に触れないことを特徴とする、請求項２に記載の下半身用衣類。
【発明の詳細な説明】
【技術分野】
【０００１】
本発明は、主として女性用のインナーウェアに関し、特に、高い伸縮性と高品質な肌触りとを兼ね備えた経編みのパワーネット生地を用いたファンデーションの一例であるパンツやガードル等の下半身用衣類に関する。
【背景技術】
【０００２】
従来、パンツ、ガードル、ボディスーツなどのインナーウェア用編地としては、ナイロンなどの合成繊維からなる非弾性糸とポリウレタン弾性糸を、トリコット機またはラッセル機で編成した経編弾性生地、あるいは、丸編機で編成した天竺編地が用いられていた。このような伸縮性経編地は、その用途に合わせて、タテヨコそれぞれの方向の伸度や、身体に対する緊締力その他の特性（これらを伸張特性と記載する）を適当な条件に設定しなければならない。
【０００３】
このような機能に加えて、インナーウェアは、直接肌に触れるために肌触りの良い特性や、吸湿性が高い特性（これらを接触特性と記載する）が求められる。上述したインナーウェアではないものの、伸縮性を備えかつ直接肌に触れる衣類として靴下があり、実用新案登録第３１７２０４１号公報（特許文献１）は、足の肌に直接的に触れて汗等の水分を吸収でき、かつ表面積が広くできて乾燥も速くできる吸湿速乾靴下を開示する。この吸湿速乾靴下は、綿等の天然繊維糸を弾性糸の芯糸にカバーリングし、この天然繊維糸をカバーリングしたカバーリングヤーンを裏糸として表糸とともに編組して靴下を編成したことを特徴とする。
【先行技術文献】
【特許文献】
【０００４】
【特許文献１】実用新案登録第３１７２０４１号公報
【発明の概要】
【発明が解決しようとする課題】
【０００５】
上述した特許文献１に開示されたように、弾性糸（ポリウレタン）を芯糸として綿糸でカバリングしたカバリング糸を用いて編成して、伸張特性および接触特性を兼ね備えた編地を製造することも可能である。
しかしながら、このようなカバリング糸を用いて編成した編地では、芯糸である弾性糸と捲糸である綿糸との伸縮性が異なり、弾性糸が伸びると捲糸である綿糸ではなく弾性糸や場合によっては編成時に使用した綿糸以外の編糸が肌に触れてしまう可能性がある。これでは、高品質の接触特性を実現することができない。
【０００６】
本発明は、従来技術の上述の問題点に鑑みて開発されたものであり、その目的とするところは、高い伸縮特性と高品質の接触特性とを兼ね備えた、片面に綿しか露出しないパワーネット生地を用いて肌側に綿しか露出しない下半身用衣類を提供することを目的とする。
【課題を解決するための手段】
【０００７】
上記目的を達成するため、本発明に係るパワーネット生地を用いた下半身用衣類は以下の技術的手段を講じている。
すなわち、本発明のある局面に係る下半身用衣類は、弾性糸、非伸縮性合成繊維および吸湿性繊維を含む経編地で編成されたパワーネット生地を少なくとも一部に用いた衣類であって、前記吸湿性繊維が経編みにおいて挿入組織で編成されておらず、前記吸湿性繊維が、前記パワーネット生地の片面側において実質的に全面に露出し、前記片面側を肌側に配置したことを特徴とする。
【０００８】
好ましくは、前記下半身用衣類は、女性用のガードルであるように構成することができる。
さらに好ましくは、吸湿性繊維である綿糸以外の素材が前記ガードルの着用者の肌に触れないように構成することができる。
さらに好ましくは、前記実質的に全面に露出しているとは、非伸張状態において前記パ
ワーネット生地の片面を１倍から２００倍までの範囲で拡大して観察した場合に、前記吸湿性繊維以外の繊維が目視できないことを意味するように構成することができる。
【０００９】
さらに好ましくは、前記弾性糸はポリウレタン糸であって、前記非伸縮性合成繊維はナイロン糸であって、前記吸湿性繊維は綿糸であるように構成することができる。
さらに好ましくは、前記肌側において吸湿性繊維以外の繊維が着用者の肌に触れないように、前記片面側を肌側に配置するように構成することができる。
【発明の効果】
【００１０】
本発明によれば、高い伸縮特性と高品質の接触特性とを兼ね備えた、片面に綿しか露出しないパワーネット生地を用いて肌側に綿しか露出しない下半身用衣類を提供することができる。
【図面の簡単な説明】
【００１１】
【図１】本発明の実施の形態に係るガードルに使用されるパワーネット生地をタテヨコ両方向に引っ張りながら撮影した表面を示す図であって、（Ａ）は肌側（綿側）、（Ｂ）は外側（ナイロン側）を示す。
【図２】図１のパワーネット生地をナイロン易染色性の染料で染めた後に引っ張りながら撮影した表面を示す図であって、（Ａ）は肌側（綿側）、（Ｂ）は外側（ナイロン側）を示す。
【図３】図２の拡大図であって、（Ａ）は肌側（綿側）、（Ｂ）は外側（ナイロン側）を示す。
【図４】図１のパワーネット生地の表面を模式的に示した図であって、（Ａ）は肌側（綿側）、（Ｂ）は外側（ナイロン側）を示す。
【図５】図１のパワーネット生地を非伸張状態で繊維識別（鑑別用染料カヤステインＱ(kayastainQ)）した結果を示す図であって、（Ａ）は肌側（綿側）、（Ｂ）は外側（ナイロン側）を示す。
【図６】図１のパワーネット生地の肌側（綿側）を非伸張状態で電子顕微鏡で観察した結果を示す図（その１）である。
【図７】図６との比較のための綿１００％フライス編地を電子顕微鏡で観察した結果を示す図である。
【図８】図１のパワーネット生地の肌側（綿側）を非伸張状態で電子顕微鏡で観察した結果を示す図（その２）である。
【図９】図８との比較のための綿１００％フライス編地を電子顕微鏡で観察した結果を示す図である。
【図１０】図１のパワーネット生地の肌側（綿側）をデジタルマイクロスコープで観察した結果を示す図（非伸張状態）である。
【図１１】図１のパワーネット生地の肌側（綿側）をデジタルマイクロスコープで観察した結果を示す図（伸張状態）である。
【図１２】本発明の実施の形態に係るガードル（その１）を示す斜視図である。
【図１３】本発明の実施の形態に係るガードル（その２）を示す図である。
【図１４】本発明の実施の形態に係るガードル（その３）を示す図である。
【発明を実施するための形態】
【００１２】
以下、本発明の実施の形態に係るパワーネット生地を用いた下半身用衣類について、図面に基づき詳しく説明する。本実施の形態においては下半身用衣類の一例としてガードルについて説明する。このガードルを説明する前に、このガードルに使用されるパワーネット生地について説明する。なお、パワーネットとは、ＪＩＳ  Ｌ０２１４に「弾性糸などを編み込み経方向に対して著しい弾性力を与えた編みレース」と定義されているが、本発明においては「弾性糸使いの経編地」を「パワーネット」であるとして説明する。また、本発明に係る下半身用衣類は、ガードル（ロングもショートも含む）に限定されるものではなくパンツ、ショーツ等であっても構わない。
【００１３】
［パワーネット生地］
この衣類に用いられるパワーネット生地（経編地）は、吸湿性繊維の一例である綿糸（
図面上では符号Ｃで示す）を最前面の筬に配置しループを形成し（綿糸を挿入糸として使用するのでなく）、弾性糸の一例であるポリウレタン糸（図面上では符号Ｐｕで示す）および非伸縮性合成繊維の一例であるナイロン糸（図面上では符号Ｎで示す）とともにラッセル経編地を編成するという製造方法で編成している。この製造方法により編成されたパワーネット生地（ラッセル経編地）は、生地の表側（ラッセル編み機における表側）が綿糸で完全に覆われ、このパワーネット生地を裏使いで使用する（パワーネット生地の表側が肌側になるようにパワーネット生地を裏使いで衣類を製造する）ことにより、衣類の肌側において綿糸が実質的に全面に露出している（綿１００％（実質的な１００％を含む意味））状態を実現する。
【００１４】
このような製造上の特徴以外については、公知の経編み機で公知の経編み組織を編成すれば良いので、ここでの詳細な説明は繰り返して記載しない。なお、非伸縮性合成繊維はナイロン糸ではなくポリエステル糸等であっても構わない。
図１〜図４に、本実施の形態に係るパワーネット生地の編み組織を説明するために、タテヨコ両方向に引っ張りながら（非伸張状態ではない）撮影した表面を示す図（図１）、ナイロン易染色性の染料によりナイロン糸を黒く染色した後を示す図（図２）、その拡大図（図３）および模式図（図４）を示す。これらの図１〜図４においては、（Ａ）は肌側（綿側）であって、（Ｂ）は外側（ナイロン側）である。
【００１５】
図１（Ａ）、図２（Ａ）、図３（Ａ）および図４（Ａ）に示す、肌側（綿側）においては、ポリウレタン糸およびナイロン糸よりも綿糸のループが最も紙面手前側に配置されており、ポリウレタン糸およびナイロン糸は綿糸のループよりも紙面奥側に配置され、最も紙面奥側にナイロン糸が配置されていることがわかる。
これに対して、図１（Ｂ）、図２（Ｂ）、図３（Ｂ）および図４（Ｂ）に示す、外側（ナイロン側）においては、綿糸のループよりもポリウレタン糸およびナイロン糸が最も紙面手前側に配置されており、綿糸のループはポリウレタン糸およびナイロン糸よりも紙面奥側に配置され、最も紙面奥側に綿糸のループが配置されていることがわかる。
【００１６】
このような編み組織は、図４（Ａ）および図４（Ｂ）に示す模式図において、特に顕著に表れている。図４（Ａ）に示すように綿糸（綿糸のループ）が紙面手前側の面（パワーネット生地の片面）において実質的に全面に露出している。
このような編み組織で編成された本実施の形態に係るパワーネット生地を非伸張状態においてこの紙面手前側の面（パワーネット生地の片面）を１倍から２００倍までの範囲で拡大して観察した場合について説明する。
【００１７】
図５に、本実施の形態に係るパワーネット生地を非伸張状態で繊維識別した結果を示す。この繊維識別においては、鑑別用染料カヤステインＱ(kayastainQ)）を用いている。この図５においても、（Ａ）は肌側（綿側）であって、（Ｂ）は外側（ナイロン側）である。なお、この図５の倍率は２００倍程度である。
非伸張状態のパワーネット生地の肌側（綿側）の片面を観察した場合に、
図５（Ａ）に示すように綿糸以外の繊維（ここではポリウレタン糸およびナイロン糸）が目視で確認できないが、外側（ナイロン側）の片面を観察した場合に、図５（Ｂ）に示すように綿糸に加えてナイロン糸が目視で確認できる
次に、図６に、本実施の形態に係るパワーネット生地を非伸張状態で電子顕微鏡で観察した結果を示す。この図６は肌側（綿側）のみを示す。また、この図６との比較のための綿１００％フライス編地を電子顕微鏡で観察した結果を図７に示す。なお、これらの図６および図７の倍率は２００倍程度である。
【００１８】
非伸張状態のパワーネット生地の肌側（綿側）の片面を倍率２００倍程度で観察した場合に、図６に示すように綿糸以外の繊維（ここではポリウレタン糸およびナイロン糸）が目視で確認できず、図７に示すように綿１００％フライス編地と大きな差異がみられない。
また、これらの図６を拡大して、本実施の形態に係るパワーネット生地を非伸張状態で電子顕微鏡で観察した結果を、図８に示す。この図８も肌側（綿側）のみを示す。また、この図８との比較のための綿１００％フライス編地を電子顕微鏡で観察した結果を図９に
示す。なお、これらの図８および図９の倍率は１０００倍程度である。
【００１９】
非伸張状態のパワーネット生地の肌側（綿側）の片面を倍率１０００倍程度で観察した場合であっても、図８に示すように綿糸以外の繊維（ここではポリウレタン糸およびナイロン糸）が目視で確認できず、図９に示すように綿１００％フライス編地と大きな差異がみられない。
この点において、本実施の形態に係るパワーネット生地の片面において実質的に全面に綿糸が露出しているとは、非伸張状態においてパワーネット生地の片面を１倍から１０００倍までの範囲で拡大して観察した場合に、綿糸以外の繊維が目視できないことを意味し、特に好ましくは１倍から２００倍までの範囲で拡大して観察した場合に、綿糸以外の繊維が目視できないことを意味すると考えられる。
【００２０】
さらに、図１０に、本実施の形態に係るパワーネット生地の肌側（綿側）を非伸張状態でデジタルマイクロスコープで観察した結果を示す。また、図１１に、本実施の形態に係るパワーネット生地の肌側（綿側）を伸張状態（ただし図１〜図４における伸張状態よりも緩やかな伸張状態である）でデジタルマイクロスコープで観察した結果を示す。なお、これらの図１０および図１１の倍率は２００倍程度である。
【００２１】
これらの図１０および図１１からわかるように、非伸張状態であっては、図１０に示すように本実施の形態に係るパワーネット生地の肌側（綿側）には綿糸以外の繊維（ここではポリウレタン糸およびナイロン糸）が目視で確認できず、さらに、緩やかな伸張状態であっても、図１１に示すように本実施の形態に係るパワーネット生地の肌側（綿側）には綿糸以外の繊維（ここではポリウレタン糸およびナイロン糸）が目視で確認できない。
【００２２】
この点において、本実施の形態に係るパワーネット生地の片面において実質的に全面に綿糸が露出しているとは、非伸張状態または緩やかな伸張状態においてパワーネット生地の片面を１倍から１０００倍（好ましくは２００倍）までの範囲で拡大して観察した場合に、綿糸以外の繊維が目視できないことを意味すると考えられる。そして、この緩やかな伸張状態とは、編み組織が明確に理解できるようにするために（図１〜図４に示すように）大きく伸張させるのではなく、後述するように、本実施の形態に係るパワーネット生地を少なくとも一部に用いた衣類を着用した場合の伸張状態を模擬している。
【００２３】
［パワーネット生地を用いた下半身用衣類の一例であるガードル］
次に、図１２〜図１４を参照して、上述したパワーネット生地を少なくとも一部に用いた下半身用衣類の一例である女性用のロングガードル１００、ロングガードル２００、ショートガードル３００（以下においてロングガードルもショートガードルも単にガードルと記載する場合がある）について説明する。
【００２４】
本実施の形態に係るガードル１００、２００、３００は、少なくともその一部に上述したパワーネット生地を、ガードル１００、２００、３００の着用時に肌側において綿糸以外の繊維が着用者の肌に触れないように、綿糸が実質的に全面に露出する面側を肌側に配置したことを特徴とする。なお、ガードル１００、２００、３００のどの部分または全部に上述したパワーネット生地を用いるのかについては本発明においては限定されない。
【００２５】
ガードル１００、２００、３００の着用時に上述したパワーネット生地は伸張する。この伸張状態は、本発明においては、上述の緩やかな伸張状態で模擬されている。このため、このガードル１００の着用時に着用者の肌側においては、パワーネット生地において綿糸が実質的に全面に露出しており、綿糸以外の繊維が着用者の肌に触れることがない。このため、このガードル１００、２００、３００は、肌が綿のみに触れるために、肌触りの良い特性および吸湿性が高い特性を実現することができる。
【００２６】
図１２に本実施の形態に係るロングガードル１００の斜視図（（Ａ）は腹側、（Ｂ）は背中側））を、図１３に本実施の形態に係るロングガードル２００を示す図（（Ａ）は正面図、（Ｂ）は側面図、（Ｃ）は背面図））を、図１４に本実施の形態に係るショートガードル３００を示す図（（Ａ）は正面図、（Ｂ）は側面図、（Ｃ）は背面図））を、それぞれ示す。なお、ガードルの構造には様々なものがあり（特に緊締力をどの部分に発現させるのかによって大きく構造が異なる）、本発明は特定の構造に限定されるものではなく、上述した特性を発現できる構造を備えたものであれば、どのようなガードルの構造であ
っても、ガードルを構成する上述したパワーネット生地以外の生地の種類、生地の型紙およびその縫製（ただし縫製糸は綿糸）がどのようなものであっても構わない。そのため、以下に示すガードルの構造自体は単なる例示でしかない。
【００２７】
また、これらのガードルは複数の生地片（パーツ）から形成され、これらのパーツを綿糸で縫製したものであって、その縫製において上述したパワーネット生地の肌側の反対面が着用者の肌に触れないように縫製されている。
図１２（Ａ）および図１２（Ｂ）に示されるように、ガードル１００は、大略的には、左右の身頃１１０と、腹部布１２０とを備えており、左右に略対称となっている。身頃１１０は、大腿部緊締部１３０と、股布（クロッチ）１４０と、大腿部被覆部１５０と、ウエスト部１６０と、裾部１７０と、臀部被覆部１８０と、臀部緊締部１９０（大腿部緊締部１３０と一体化された帯状の緊締部）とを有している。なお、緊締部は上述したように一例でしかなく、他の部分を含めて所望の緊締力が所望の位置で発現するように、上述したパワーネット生地を含めて、このガードル１００が構成される。
【００２８】
また、図１３（Ａ）〜図１３（Ｃ）に示されるように、ガードル２００は、大略的には、左右の身頃２１０と、腹部布２２０とを備えており、左右に略対称となっている。身頃２１０は、股布（クロッチ）２４０と、大腿部被覆部２５０と、臀部被覆部２８０と、臀部緊締部２９０（いわゆるＴバックと呼ばれる形状を備えたＴ字状の緊締部）とを有している。なお、緊締部は上述したように一例でしかなく、他の部分を含めて所望の緊締力が所望の位置で発現するように、上述したパワーネット生地を含めて、このガードル２００が構成される。なお、図１３においては大腿部被覆部２５０と臀部被覆部２８０とは別体の生地としているが一体の生地であっても構わない。また、裾部を備えるようにしても構わない。
【００２９】
さらに、図１４（Ａ）〜図１４（Ｃ）に示されるように、ガードル３００は、大略的には、左右の身頃３１０と、腹部布３２０とを備えており、左右に略対称となっている。身頃３１０は、股布（クロッチ）３４０と、大腿部被覆部３５０と、裾部３７０と、臀部被覆部３８０と、臀部緊締部３９０（いわゆるＴバックと呼ばれる形状を備えたＴ字状の緊締部）とを有している。なお、緊締部は上述したように一例でしかなく、他の部分を含めて所望の緊締力が所望の位置で発現するように、上述したパワーネット生地を含めて、このガードル３００が構成される。なお、図１４においては大腿部被覆部３５０と臀部被覆部３８０とは一体の生地としているが別体の生地であっても構わない。
【００３０】
このようなガードル１００、２００、３００において、上述したパワーネット生地がガードル１００、２００、３００の着用時に肌側において綿糸以外の繊維が着用者の肌に触れないように、綿糸が実質的に全面に露出する面側を肌側に配置されている。このようなガードル１００、２００、３００を縫製する場合において、たとえば、ウエスト部１６０または裾部１７０、３７０に端部処理するにあたり、このパワーネット生地で構成された２つのパーツを縫製する場合には、縫製後に着用者の肌に綿糸以外の繊維が触れないように、パワーネット生地の表裏が選択され、折り返し等を施して縫製される。
【００３１】
さらに、これらのガードル１００、２００、３００の縫製糸は全て綿糸（たとえば８０番手）で構成される。また、商品品番、サイズ等の商品情報はこのようなガードルを含め衣類では一般的には商品情報が印字されたタグが肌側へ縫い付けられる。これらのガードル１００、２００、３００においては、生地に商品情報を直接印字してこのようなタグを縫い付けていない。このようにすることにより、綿糸（縫製糸を含む）以外が、着用者の肌に触れることがなくなる。なお、縫製糸が綿糸であっても、縫い目を幅に触れないように縫い目を内包して縫製することも好ましい。
【００３２】
このように、上述したように綿糸が経編みにおいて挿入組織で編成されておらず、この綿糸がパワーネット生地の片面側において実質的に全面に露出するように編成されたパワーネット生地を用いて、上述したように縫製されたこれらのガードル１００、２００、３００は、全体として硬くなく伸びが優しく（伸び感が着用者の意識に合致する感覚）天然繊維である綿の長所が非常に活かされたものとなる。
【００３３】
以上のようにして、本実施の形態に係るパワーネット生地を少なくとも一部に用いたガ
ードル（下半身用衣類）によると、非伸張状態および着用時を模擬した伸張状態において、綿糸がパワーネット生地の片面であってガードル（下半身用衣類）の肌側の全面に実質的に露出させることができる。その結果、高い伸縮特性と高品質の接触特性とを兼ね備えたガードル（下半身用衣類）を提供することができる。
【００３４】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３５】
本発明は、主として女性用の衣類（パンツ、ガードルおよびブラジャーなどのファンデーション）に好適であり、高い伸縮性と高品質な肌触りとを兼ね備えた下半身用衣類に特に好適である。
【符号の説明】
【００３６】
Ｃ  綿糸
Ｎ  ナイロン糸
Ｐｕ  ポリウレタン糸
１００、２００、３００  ガードル
【図１２】
2015166506.tif 000003
【図１３】
2015166506.tif 000004
【図１４】
2015166506.tif 000005
【図１】
2015166506.tif 000006
【図２】
2015166506.tif 000007
【図３】
2015166506.tif 000008
【図４】
2015166506.tif 000009
【図５】
2015166506.tif 000010
【図６】
2015166506.tif 000011
【図７】
2015166506.tif 000012
【図８】
2015166506.tif 000013
【図９】
2015166506.tif 000014
【図１０】
2015166506.tif 000015
【図１１】
2015166506.tif 000016